(57)【特許請求の範囲】
【請求項１】
中空状に形成された肩部材と中空状に形成された腕部材とが両部材の中空部に通された弾性体の牽引力によって所定方向に屈曲可能に連結されている腕部構造であって、一方の部材は外装を構成する外装部から他方の部材の中空部開口に差し込まれる差込部が突出しており、一方の部材の差込部には両部材の屈曲方向に対して外側に位置する面に他方の部材と対向する段差面を有する外側段差が形成されており、両部材を屈曲させた際に他方の部材の中空部開口が一方の部材に形成された外側段差に嵌り込むことを特徴とする腕部構造。
【請求項２】
一方の部材には外装部と差込部の境界に沿って両部材の屈曲方向に対して内側に位置する面に他方の部材と対向する段差面を有する内側段差が形成されており、両部材を屈曲させた際に他方の部材の中空部開口が一方の部材に形成された内側段差に嵌り込む請求項１記載の腕部構造。
【請求項３】
両部材を屈曲させた際に一方の部材の差込部先端が他方の部材の中空部内壁に接触して両部材の屈曲角度を規制する請求項１又は２のいずれかに記載の腕部構造。
【請求項４】
一方の部材の差込部には両部材の屈曲方向に対して内側に位置する面に弾性体を通すための凹溝が形成されており、他方の部材の中空部内壁に一方の部材に形成された凹溝に嵌り込む突起が形成されている請求項１乃至３のいずれかに記載の腕部構造
【請求項５】
一方の部材が肩部材であり、他方の部材が腕部材である請求項１乃至４のいずれかに記載の腕部構造。
【請求項６】
請求項１乃至５のいずれかに記載された腕部構造を備えた人形。
【発明の詳細な説明】
【技術分野】
【０００１】
本発明は、腕部構造及び該腕部構造を備えた人形に関するものである。
【背景技術】
【０００２】
周知のとおり、関節を可動できる人形のスタンダードな構造の一つとして、人形を関節に当たる位置で分割して各部材を中空状に形成し、各部材を中空部に通した弾性体で牽引することによって連結する構造がある。この構造を採用した人形は、人形の関節に当たる部分に複雑な機構を使用する必要がなく、各関節に部材の接合線や機構が多く露出せず、外観がスマートになるため、従来から多くの人形に採用されている。
【０００３】
例えば、後出特許文献１には、胴太の略ずんどう形状を成し上面の中央部及び下面を水平面状に形成すると共に首部、両肩部及び両股部の各位置に開口部を有するコイルばね挿通孔を夫々穿設して成る胴体部に対し、下面部を凸球面状に形成すると共にフックを下方に穿設した頭部を首部位置のコイルばね挿通孔に挿通させたコイルばねの一端をフックに係止し他端を胴体部側に係止して接合し、又、コイルばね挿通孔を有する筒状上腕部及び筒状肘部並びに前腕部から構成され上腕部の先端部分を凹球面状とし肘部の基端部分を凹球面状に係合する凸球面状とした各腕部を各腕部のコイルばね挿通孔及び前記胴体部の両肩部コイルばね挿通孔にコイルばねを挿通させると共に当該コイルばねの両端を肘部で係止して胴体部に接合し、更にコイルばね挿通孔を有する筒状大腿部及び筒状膝部並びに下腿部から構成され大腿部の先端部分を凹球面状とし膝部の基端部分を凹球面状に係合する凸面球状とし当該コイルばね挿通孔にコイルばねを挿通しコイルばね両端を各々大腿部側及び膝部側で係止して成る各脚部の上部に横方向のコイルばね挿通孔を穿設し当該コイルばね挿通孔にコイルばねを挿通させコイルばね両端を各脚部側で係止して各脚部を胴体部に接合した人形が開示されている。
【０００４】
また、後出特許文献２には、人形自体の主体となる空洞状の胴体部と、この胴体部の上部に屈曲自在に弾発的に連繋した頸部分を有する頭体部と、同じく胴体部の上部左右の肩部分に屈曲自在に弾発的に連繋した左右の腕体部と、同じく胴体部の下部底面に屈曲自在に弾発的に連繋した左右の脚体部と、頭体部、腕体部、脚体部夫々を胴体部内部で弾発的に牽引連繋する保持手段とから成る人形が開示されている。
【先行技術文献】
【特許文献】
【０００５】
【特許文献１】実開平３−７８５９５号公報
【特許文献２】実用新案登録第３０６８７０３号公報
【発明の概要】
【発明が解決しようとする課題】
【０００６】
ところで、特許文献１に開示された人形においては、胴部と腕部との接触面が平面状になっており、弾性体の牽引力が両部の接触面を密着させる方向に働くため、胴部に対して腕部を屈曲させることができないという問題点があった。
【０００７】
一方、特許文献２に開示された人形においては、胴部と腕部との接触面が球面状になっているため、弾性体の牽引力が両部の接触面を密着させる方向に働いても、両部の接触面を摺動させることによって胴部に対して腕部を屈曲させることができるが、ある程度屈曲させると、腕部の一部が胴部に干渉してそれ以上屈曲させることができないという問題点があった。
【０００８】
そこで、本発明者は、前記スタンダードな構造を採用した人形において、胴部に対して腕部を深く屈曲させることができる腕部構造を得ることを技術的課題として、その具現化をはかるべく、試行錯誤的に試作・実験を重ねた結果、中空状に形成された肩部材と中空状に形成された腕部材とが両部材の中空部に通された弾性体の牽引力によって所定方向に屈曲可能に連結されている腕部構造において、一方の部材における外装を構成する外装部から他方の部材の中空部開口に差し込まれる差込部を突出させ、一方の部材の差込部における両部材の屈曲方向に対して外側に位置する面に他方の部材と対向する段差面を有する外側段差を形成し、両部材を屈曲させた際に他方の部材の中空部開口が一方の部材に形成された外側段差に嵌り込むようにすれば、胴部に対して腕部を深く屈曲させた際に安定して姿勢を維持できるという刮目すべき知見を得、前記技術的課題を達成したものである。
【課題を解決するための手段】
【０００９】
前記技術的課題は、次の通りの本発明によって解決できる。
【００１０】
すなわち、本発明に係る腕部構造は、中空状に形成された肩部材と中空状に形成された腕部材とが両部材の中空部に通された弾性体の牽引力によって所定方向に屈曲可能に連結されている腕部構造であって、一方の部材は外装を構成する外装部から他方の部材の中空部開口に差し込まれる差込部が突出しており、一方の部材の差込部には両部材の屈曲方向に対して外側に位置する面に他方の部材と対向する段差面を有する外側段差が形成されており、両部材を屈曲させた際に他方の部材の中空部開口が一方の部材に形成された外側段差に嵌り込むものである。
【００１１】
また、本発明は、前記腕部構造において、一方の部材には外装部と差込部の境界に沿って両部材の屈曲方向に対して内側に位置する面に他方の部材と対向する段差面を有する内側段差が形成されており、両部材を屈曲させた際に他方の部材の中空部開口が一方の部材に形成された内側段差に嵌り込むものである。
【００１２】
また、本発明は、前記いずれかの腕部構造において、両部材を屈曲させた際に一方の部材の差込部先端が他方の部材の中空部内壁に接触して両部材の屈曲角度を規制するものである。
【００１３】
また、本発明は、前記いずれかの腕部構造において、一方の部材の差込部には両部材の屈曲方向に対して内側に位置する面に弾性体を通すための凹溝が形成されており、他方の部材の中空部内壁に一方の部材に形成された凹溝に嵌り込む突起が形成されているものである
【００１４】
また、本発明は、前記いずれかの腕部構造において、一方の部材が肩部材であり、他方の部材が腕部材であるものである。
【００１５】
また、本発明に係る人形は、前記いずれかの腕部構造を備えたものである。
【発明の効果】
【００１６】
本発明によれば、腕部を肩部材と腕部材に分割して両部材を屈曲可能に連結したので、胴部に対して腕部を深く屈曲させたることができる。また、一方の部材における腕部の外装を構成する外装部から他方の部材の中空部開口に差し込まれる差込部を突出させ、一方の部材の差込部における両部材の屈曲方向に対して外側に位置する面に他方の部材と対向する段差面を有する外側段差を形成したので、両部材を屈曲させた際に、他方の部材の中空部開口が一方の部材に形成された外側段差に嵌り込むため、姿勢を安定して維持することができる。
【００１７】
従って、本発明の産業上利用性は非常に高いといえる。
【図面の簡単な説明】
【００１８】
【図１】実施の形態１に係る人形を示した分解斜視図である。
【図２】図１に示す人形を示した正面視部分断面図である。
【図３】図１に示す肩部材を示した斜視図である。
【図４】図１に示す腕部材を示した斜視図である。
【図５】図１に示す人形の動作を示した平面視部分断面図である。
【図６】図１に示す人形の腕部を示した斜視図である。
【図７】実施の形態２に係る肩部材を示した縦断面図である。
【図８】実施の形態３に係る腕部を示した縦断面図である。
【図９】図８に示す腕部の動作を示した縦断面図である。
【発明を実施するための形態】
【００１９】
以下、本発明の実施の形態を説明する。
【００２０】
実施の形態１．
【００２１】
本実施の形態に係る人形は、図１に示すように、人形の胴体を構成する胴部１と、人形の腕を構成する腕部２と、胴部１の腕部２と対向する面に固定される滑止具３と、胴部１と腕部２とを互いに牽引する弾性体４とを備えている。
【００２２】
胴部１は、図２に示すように、中空状に形成されており、腕部２と接触する面に略球面状凹部５を有している。そして、胴部１の略球面状凹部５には、中空部６へと繋がる開口７が形成されていると共に該開口７を囲んで一周するように円環状の溝部８（図１参照）が形成されている。なお、略球面状凹部５の溝部８には、円環状の滑止具３が嵌め込まれる。
【００２３】
腕部２は、人体の肩に当たる部分を構成する肩部材９と、人体の上腕に当たる部分を構成する上腕部材１０及び人体の肘関節、前腕、手首関節及び手に当たる部分を構成する他の部材（図示せず）とから構成される腕部材１１とに分割されている。そして、肩部材９と上腕部材１０とは、中空状に形成されており、両部材９，１０は、中空部１２，１３に通された弾性体４の牽引力によって所定方向に屈曲可能に連結されている。なお、本実施の形態に係る腕部２における肩部材９と上腕部材１０とは、胴部１に沿わせて腕部２を伸ばすように人形を直立姿勢にした状態で胴部１方向に屈曲可能に連結されている。
【００２４】
肩部材９は、図３に示すように、腕部２の外装を構成する外装部１４と、外装部１４から突出して胴部２の略球面状凹部５に嵌り込む略球面状凸部１５と、外装部１４から突出して上腕部材１０における中空部１３の開口に差し込まれる差込部１６とから構成されており、肩部材９における外装部１４と差込部１６との境界には、肩部材９と上腕部材１０との屈曲方向に対して内側（以下、「屈曲方向内側」という）に位置するように内側段差１７が形成されている。なお、内側段差１７は、上腕部材１０と対向する段差面１８を有しており、段差面１８は溝状に窪んでいる。
【００２５】
外装部１４は、人体の肩に位置する三角筋を表現した表面形状に形成されている。また、略球面状凸部１５には、略球面状凹部５に形成された開口７と対向するように中空部１２へと繋がる縦割り状の開口１９が形成されている。また、差込部１６は、屈曲方向内側に位置する面が腕部２を伸ばした状態における軸線方向に沿って平坦状に形成されていると共に、肩部材９と上腕部材１０との屈曲方向に対して外側（以下、「屈曲方向外側」という）に位置する面が先端に向かうに従って屈曲方向内側へ湾曲した形状に形成されており、これにより、差込部１６は、先端に向かうに従って厚みが薄くなった舌片状に形成されている。そして、差込部１６には、屈曲方向内側に位置する面に中空部１２へと繋がる凹溝２０が形成されており、屈曲方向外側に位置する面に上腕部材１０と対向する段差面２１を有する略Ｖ字状の外側段差２２が形成されている。
【００２６】
上腕部材は、図４に示すように、人体の上腕に位置する上腕三頭筋及び上腕二頭筋を表現した表面形状に形成されており、肩側及び肘側に中空部１３へと繋がる開口２３，２４を有している。上腕部材１０における肩部材９の差込部１６が差し込まれる肩側開口２３は、屈曲方向内側に位置する開口端が肩部材９の内側段差１７に沿うような形状に形成されていると共に、屈曲方向外側に位置する開口端が肩部材９の外側段差２２に沿うような形状に形成されている。また、上腕部材１０の内壁には、上腕部材１０の肩側開口２３に差し込まれる肩部材９の差込部１６に形成された凹溝２０に嵌り込むように二股状の突起２５が形成されている。
【００２７】
弾性体４としては、例えば、ゴム紐、バネなどを使用することができるが、これらのものに限らず、少なくとも各部材とが外れないように固定できる程度に強く牽引することができる張力を有するものであればよい。
【００２８】
次に、本実施の形態に係る人形の組み立て手順を説明する。
【００２９】
先ず、胴部１の肩部分に形成された略球面状凹部５の溝部８に滑止具３を嵌め込む。次に、胴部１に対して弾性体４を一方側の肩部分に形成された略球面状凹部５の開口７から中空部６を跨いで他方側の肩部分に形成された略球面状凹部５の開口７へ渡すように通す。次に、胴部１における一方側の略球面状凹部５の開口７から飛び出した弾性体４の一端を、肩部材９における略球面状凸部１５の開口１９から中空部１２へと通して差込部１６の凹溝２０から引き出し、続いて、上腕部材１０における肩側開口２３から中空部１３へと通して肘側開口２４から引き出し、最後に、腕部２を構成する他の部材の中空部に通して該他の部材の中空部内に固定された掛止具に引っ掛ける（図示せず）。この時、胴部１の略球面状凹部５に肩部材９の略球面状凸部１５が嵌り込んだ状態となると共に、肩部材９の差込部１６が上腕部材１０の肩側開口２３に差し込まれた状態となる。
【００３０】
次に、胴部１における他方側の略球面状凹部５の開口７から飛び出した弾性体４の他端を、肩部材９における略球面状凸部１５の開口１９から中空部１２へと通して差込部１６の凹溝２０から引き出し、続いて、上腕部材１０における肩側開口２３から中空部１３へと通して肘側開口２４から引き出し、最後に、腕部２を構成する他の部材の中空部に通して該他の部材の中空部内に固定された掛止具に引っ掛ける（図示せず）。なお、弾性体４は引っ張った状態を維持し、そのままの状態で弾性体４の他端を掛止具に引っ掛ける。この時、胴部１の略球面状凹部５に肩部材９の略球面状凸部１５が嵌り込んだ状態となると共に、肩部材９の差込部１６が上腕部材１０の肩側開口２３に差し込まれた状態となる。これにより、胴部１と両腕部２が弾性体４によって互いに牽引された状態となる。
【００３１】
なお、肩部材９と上腕部材１０とを屈曲させることなく腕部２を伸ばした状態にすると、図２に示すように、肩部材９と上腕部材１０とは、上腕部材１０における肩側開口２３の屈曲方向内側が肩部材９の内側段差１７に接触した状態となると共に、上腕部材１０における肩側開口２３の屈曲方向外側が肩部材９の差込部１６における屈曲方向外側の面に接触した状態となる。この時、肩部材９における差込部１６の外側段差２２は上腕部材１０の中空部１３内に位置付けられて外部から視認できなくなり、また、上腕部材１０における突起２５は肩部材９における差込部１６の凹溝２０に嵌り込んだ状態となる。
【００３２】
次に、本実施の形態に係る人形の腕部２を胴部１の前方へ曲げる動作を説明する。
【００３３】
先ず、胴部１の略球面状凹部５と肩部材９の略球面状凸部１５とを摺動させて肩関節を可動させることより、肩部材９と上腕部材１０とを屈曲させることなく伸ばした状態の腕部２を、胴部１の前方に真っ直ぐ突き出した状態（図５の（ａ）参照）から胴部１の前方に斜めに突き出した状態（図５の（ｂ）参照）に回動させると、腕部２は、胴部１に対して所定角度α回動させた時点で該腕部２の回動方向に対して内側に位置する面が該胴部１と干渉して回動が規制される。
【００３４】
次に、胴部１と干渉して回動が規制された状態の腕部２における肩部材９と上腕部材１０とを屈曲させると、図５の（ｃ）に示すように、上腕部材１０は、肩部材９に対して所定角度β屈曲させた時点で該上腕部材１０の内壁が該肩部材９における差込部１６の先端と干渉して屈曲が規制される。この時、肩部材９と上腕部材１０とは、上腕部材１０における肩側開口２３の屈曲方向内側が肩部材９の内側段差１７の溝に嵌り込むと共に、上腕部材１０における肩側開口２３の屈曲方向外側が肩部材の外側段差２２に嵌り込んだ状態となる。
【００３５】
また、上腕部材１０の中空部１３に通される弾性体４は肩部材９と上腕部材１０との屈曲前後で上腕部材１０の二股状の突起２５に嵌り込んだ状態が維持されるため、上腕部材１０の中空部１３内で弾性体４が位置ズレし難くなる。
【００３６】
なお、本実施の形態においては、図６の（ａ）に示すように、上腕部材１０における肩側開口２３の屈曲方向外側を人体の肩に位置する三角筋と人体の上腕に位置する上腕三頭筋及び上腕二頭筋との境界に当たる位置付け、かつ、当該境界に沿った形状に形成したため、腕部２を伸ばした状態において肩部材９と上腕部材１０との境界が目立たなくなる。さらに、図６の（ｂ）に示すように、肩部材９における外側段差２２を前記境界と平行に位置付け、かつ、当該境界に沿った形状に形成したため、腕部２を屈曲させた状態においても肩部材９と上腕部材１０との境界が目立たなくなる。
【００３７】
本発明における腕部２は、本実施の形態のように肩、上腕、肘関節、前腕、手首関節及び手の各部材に分割した構成に限定されず、少なくとも肩から肘の間、より好ましくは、人体の肩に位置する三角筋と人体の上腕に位置する上腕三頭筋及び上腕二頭筋との間で分割した構成であればよい。
【００３８】
実施の形態２．
【００３９】
本実施の形態は前記実施の形態１における肩部材の変形例であり、図７において図１〜図５と同一符号は同一又は相当部分を示している。
【００４０】
本実施の形態に係る肩部材９には、外側段差２２と平行に並ぶように外側段差２６が形成されており、これにより、肩部材９と腕部材１１との屈曲角度を二段階に調節することができる。
【００４１】
なお、本実施の形態においては、肩部材９に外側段差を二つ形成したが、三つ以上形成してもよく、肩部材９に外側段差を複数形成した場合には、外側段差の数に応じて肩部材９と腕部材１１の屈曲角度を段階的に調節することができるようになる。
【００４２】
実施の形態３．
【００４３】
本実施の形態は前記実施の形態１における肩部材と上腕部材の変形例であり、図８及び図９において図１〜図５と同一符号は同一又は相当部分を示している。
【００４４】
本実施の形態に係る肩部材２７は、図８に示すように、腕部２の外装を構成する外装部１４と、外装部１４から突出して胴部１の略球面状凹部５に嵌り込む略球面状凸部１５とから構成されており、外装部１４の上腕部材２８と対向する面には、中空部１２へと繋がる開口２９が形成されている。また、本実施の形態に係る上腕部材２８は、腕部２の外装を構成する外装部３０と、外装部３０から突出して肩部材２７の開口２９に差し込まれる差込部３１とから構成されており、上腕部材２８の屈曲方向内側には、外装部３０と差込部３１との境界に沿って肩部材２７と対向する段差面３２を有する内側段差３３が形成されている。そして、差込部３１には、屈曲方向内側に位置する面に中空部１３へと繋がる凹溝３４が形成されており、屈曲方向外側に位置する面に肩部材２７と対向する段差面３５を有する外側段差３６が形成されている。
【００４５】
本実施の形態に係る肩部材２７と上腕部材２８との屈曲させると、図９に示すように、上腕部材２８は、肩部材２７に対して所定角度γ屈曲させた時点で該上腕部材２８における差込部３１の先端が該肩部材２８の内壁と干渉して屈曲が規制される。この時、肩部材２７と上腕部材２８とは、肩部材２７における開口２９の屈曲方向内側が上腕部材２８の内側段差３３に嵌り込むと共に、肩部材２７における開口２９の屈曲方向外側が上腕部材２８の外側段差３６に嵌り込んだ状態となる。
【００４６】
本実施の形態においても前記実施の形態１と同様の作用効果を得ることができる。
【符号の説明】
【００４７】
１  胴部
２  腕部
３  滑止具
４  弾性体
５  略球面状凹部
６  中空部
７  開口
８  溝部
９  肩部材
１０  上腕部材
１１  腕部材
１２  中空部
１３  中空部
１４  外装部
１５  略球面状凸部
１６  差込部
１７  内側段差
１８  段差面
１９  開口
２０  凹溝
２１  段差面
２２  外側段差
２３  開口
２４  開口
２５  突起
２６  外側段差
２７  肩部材
２８  上腕部材
２９  開口
３０  外装部
３１  差込部
３２  段差面
３３  内側段差
３４  凹溝
３５  段差面
３６  外側段差
【図１】
0005954614.tif 000002
【図２】
0005954614.tif 000003
【図３】
0005954614.tif 000004
【図４】
0005954614.tif 000005
【図５】
0005954614.tif 000006
【図６】
0005954614.tif 000007
【図７】
0005954614.tif 000008
【図８】
0005954614.tif 000009
【図９】
0005954614.tif 000010